(57)【特許請求の範囲】
【請求項１】
ランプの光を前側に配光する反射笠と、前記ランプの前方にランプ軸に沿ってそれぞれ配置され且つ少なくとも前記ランプの径よりも大きい間隔を空けた状態で前記ランプの両側に配置される複数のルーバとを備え、各々の前記ルーバはそれぞれ前記反射笠と一体に設けられており、
各々の前記ルーバは、前後方向に沿って配置される主遮光部と、前記主遮光部の前側端から前記ランプ側に向かって斜めに折り返された折り返し部とを有し、前記折り返し部は、折り曲げ位置と前記ランプの中心を結ぶ線分に対して前記主遮光部側に折り曲げられていることを特徴とする照明器具。
【請求項２】
前記反射笠は、前記ランプの後方位置に第１平面部が設けられ、各々の前記ルーバは、前記主遮光部の後側端から前記ランプ側に向かって前記第１平面部に沿って延出する第２平面部が設けられたことを特徴とする請求項１記載の照明器具。
【請求項３】
前記折り返し部の先端の間隔が、少なくとも前記ランプの径よりも大きくなるように各々の前記ルーバを配置したことを特徴とする請求項１又は２記載の照明器具。
【発明の詳細な説明】
【技術分野】
【０００１】
本発明は、照明器具に関するものである。
【背景技術】
【０００２】
従来より、ランプのグレアをカットするためにルーバを設けた照明器具が種々提供されている（例えば特許文献１参照）。
【０００３】
図４はルーバを設けた照明器具の一例を示しており、ランプソケット１０８を介して器具本体１０１に取着されたランプ１０４の下側に、長手方向に沿って格子状に形成されたルーバ１０３が配設されている。
【特許文献１】特開２００５−１１７５６号公報（段落［００１７］−段落［００２０］、及び、第１図−第４図）
【発明の開示】
【発明が解決しようとする課題】
【０００４】
上述の図４に示した照明器具では、幅方向からのグレアをカットするとともにルーバ１０３の曲がりを防止するためにルーバ１０３を格子状に形成しており、ランプ１０４を交換する際にはルーバ１０３を取り外さなければならず、メンテナンス性がよくなかった。
【０００５】
本発明は上記問題点に鑑みて為されたものであり、その目的とするところは、メンテナンス性を改善した照明器具を提供することにある。
【課題を解決するための手段】
【０００６】
請求項１の発明は、ランプの光を前側に配光する反射笠と、ランプの前方にランプ軸に沿ってそれぞれ配置され且つ少なくともランプの径よりも大きい間隔を空けた状態でランプの両側に配置される複数のルーバとを備え、各ルーバはそれぞれ反射笠と一体に設けられており、各ルーバは、前後方向に沿って配置される主遮光部と、主遮光部の前側端からランプ側に向かって斜めに折り返された折り返し部とを有し、折り返し部は、折り曲げ位置とランプの中心を結ぶ線分に対して主遮光部側に折り曲げられていることを特徴とする。
【０００８】
請求項２の発明は、反射笠は、ランプの後方位置に第１平面部が設けられ、各ルーバは、主遮光部の後側端からランプ側に向かって第１平面部に沿って延出する第２平面部が設けられたことを特徴とする。
【０００９】
請求項３の発明は、折り返し部の先端の間隔が、少なくともランプの径よりも大きくなるように各ルーバを配置したことを特徴とする。
【発明の効果】
【００１０】
請求項１の発明によれば、複数のルーバを、ランプの前方にランプ軸に沿って配置するとともに、少なくともランプの径よりも大きい間隔を空けた状態でランプの両側に配置することによって、ランプのグレアをカットしつつルーバの間からランプを交換することができるので、従来例のようにルーバを取り外す必要がなく、メンテナンス性を改善することができるという効果がある。
【００１１】
さらに、主遮光部の前側端からランプ側に折り返した折り返し部を、折り曲げ位置とランプの中心を結ぶ線分に対して主遮光部側に折り曲げることによって、ランプの光を折り返し部に照射することができるので、この光を折り返し部で反射させることによって前方への光量を増加させることができるという効果がある。また、主遮光部に対して折り返し部を設けることによってルーバの強度が増加するので、ルーバの曲がりを抑えることができるという効果もある。
【００１２】
請求項２の発明によれば、反射笠に第１平面部を設けるとともに各ルーバに第１平面部に沿って延出する第２平面部を設けることによって、ランプの光を第１および第２平面部で反射させて反射笠の主反射面への光量を増加させることができるので、主反射面から各ルーバの主遮光部に向けて反射される光量を増加させることができるという効果がある。また、第１平面部を介して器具本体に反射笠を取り付けた場合には、反射笠が面で器具本体に取り付けられることになるから取り付けが強固になり、反射笠の揺れやぐらつきを軽減することができるという効果がある。
【００１３】
請求項３の発明によれば、折り返し部の先端の間隔が、少なくともランプの径よりも大きくなるように各ルーバを配置しており、ルーバの間からランプを交換することができるので、従来例のようにルーバを取り外す必要がなく、メンテナンス性を改善することができるという効果がある。
【発明を実施するための最良の形態】
【００１４】
本発明の実施形態を図１〜図３に基づいて説明する。本実施形態の照明器具は、図２に示すように固定ボルト１３を介して天井面に取り付けられ、室内（例えば、工場など）を照明するために用いられる。なお、以下の説明では特に断りがない限り、図２中の矢印ａ−ｂの方向を上下方向、矢印ｃ−ｄの方向を左右方向として説明を行う。
【００１５】
本実施形態の照明器具は、図２に示すように直管型のランプ４と、ランプ４に点灯電力を供給する安定器１１が内蔵された器具本体１と、ランプ４の光を下方に反射させる反射笠２と、幅方向からのランプ４のグレアを防止する複数（本実施形態では２個）のルーバ３とを備えている。
【００１６】
器具本体１は、図２に示すように左右方向に延出するとともに下面が開口する細長い略矩形箱状に形成されたケース本体１ａを有し、ケース本体１ａの左右方向両端部には、ランプ４が接続されるランプソケット８が接続面８ａを互いに対向させた状態でそれぞれ取着されている。また、各ランプソケット８の内側には下方に突出する突台部５がそれぞれ突設されており、各突台部５の底部には固定ねじ６が螺合するねじ孔５ａが設けられ、さらに各突台部５の内側には固定ボルト１３が挿通されるねじ挿通孔１ｂがそれぞれ貫設されている。
【００１７】
さらに、器具本体１の左右方向略中央には、ケーブル１４の各電線が接続される端子台１０が収納されており、また端子台１０の右側にはランプ４に点灯電力を供給する安定器１１が収納されている。なお、端子台１０の出力端と安定器１１の入力端の間は図示しない電線により電気的に接続され、さらに安定器１１の出力端と各ランプソケット８の間も図示しない電線により電気的に接続されている。而して、ケーブル１４により供給された商用電源が端子台１０を介して安定器１１に供給され、さらにランプ４の点灯電力が安定器１１から各ランプソケット８に供給されるようになっている。また、器具本体１のケース本体１ａにおいて端子台１０に対応する部位には電線挿通孔（図示せず）が設けられており、ケーブル１４の各電線が電線挿通孔を通して上側から端子台１０に接続できるようになっている。
【００１８】
ランプ４は、図２に示すように左右方向に延出する直管状の発光管４ａを有し、発光管４ａの左右方向両端部には一対のランプピン４ｃが突設された口金部４ｂがそれぞれ設けられている。
【００１９】
反射笠２は、図１および図２に示すように、左右方向に延出する長尺状であって底面が上側に凸となる曲面状に形成された箱状の反射笠本体２ａを有し、反射笠本体２ａの底面において幅方向略中央には、上方に突出する突台部２ｃが左右方向に沿って一体に設けられている。また、突台部２ｃの底面２ｄにおいて上記各ねじ孔５ａに対応する部位には、固定ねじ６が挿通されるねじ挿通孔２ｂがそれぞれ貫設されている。なお、反射笠本体２ａの左右方向両端部には、各ランプソケット８がそれぞれ挿通されるソケット挿通孔（図示せず）が設けられており、反射笠２を器具本体１に取り付けた状態では各ランプソケット８がソケット挿通孔を通して反射笠２の内部に配置されるようになっている（図１参照）。ここに、突台部２ｃは、その底面２ｄが取付状態で水平となる位置に設けられており、この底面２ｄにより第１平面部が構成されている。また、突台部２ｃの底面２ｄの幅寸法は、ランプ４の径よりも大きく、且つ、ケース本体１ａの幅寸法以下に設定するのが好ましく、本実施形態ではケース本体１ａの幅寸法と略同じ幅寸法ｄ２に設定している。ここにおいて、反射笠２の反射面のうち、突台部２ｃの底面２ｄを除く残りの部位により主反射面２ｅが構成されている。
【００２０】
ルーバ３は、図１および図２に示すように上下方向に沿って配置された矩形板状の主遮光片３ａ（主遮光部）と、主遮光片３ａの下側端（前側端）からランプ４側（図１中の上側）に向かって斜めに折り返された折り返し片３ｂ（折り返し部）と、主遮光片３ａの上側端（後側端）からランプ４側（図１中の右側）に向かって水平に延出する水平片３ｃとが一体に形成されている。各ルーバ３は、ランプ４の下方にランプ軸に沿ってそれぞれ配置されるとともに、互いの折り返し片３ｂが対向する形でランプ４の幅方向両側に配置され、左右方向両端部において反射笠２と一体に設けられている。すなわち、両折り返し片３ｂ、３ｂが略ハ字型となるようにルーバ３、３が配置される（図１参照）。ここにおいて、各ルーバ３の折り返し片３ｂは、図１に示すように主遮光片３ａからの折り曲げ部位とランプ４の中心とを結ぶ線分ＡＢに対して主遮光片３ａ側に折り曲げられており、さらに各折り返し片３ｂの先端（図１中の上側端）の間隔（以下、ルーバ間寸法という。）はｄ１に設定されている。また、主遮光片３ａと折り返し片３ｂのなす角度が小さくなると、折り返し片３ｂで反射されたランプ４の光が側方に照射されグレアを生じてしまうので、主遮光片３ａと折り返し片３ｂのなす角度はグレアを生じる角度より大きな角度に設定されている。なお、ルーバ間寸法ｄ１は、少なくともランプ４の径よりも大きい寸法に設定されていればよく、好ましくは手が入る寸法（例えば、５０ｍｍ程度）に設定するのがよい。ここに、水平片３ｃは、上述した突台部２ｃの底面２ｄ（第１平面部）に沿って延設されており、この水平片３ｃにより第２平面部が構成されている。
【００２１】
次に、照明器具の施工手順について図２に基づいて説明する。なお、端子台１０および安定器１１はケース本体１ａに予め取り付けられているものとして説明する。まず、ケーブル１４の各電線を端子台１０に接続した後、器具本体１のケース本体１ａに設けた各ねじ挿通孔１ｂに対応する固定ボルト１３をそれぞれ挿通し、下側からねじ部に座金７を挿通するとともにナット９を螺合させると、器具本体１が天井面に固定される。その後、各ランプソケット８をそれぞれ対応するソケット挿通孔に挿通させた後、各固定ねじ６を対応するねじ挿通孔２ｂにそれぞれ挿通させるとともにケース本体１ａのねじ孔５ａに螺合させると、反射笠２が器具本体１に取り付けられる。そして最後に、各口金部４ｂを対応するランプソケット８に装着してランプ４をケース本体１ａに取り付けると、照明器具の組立てが完了する。なおこのとき、ランプ４は幅方向においてルーバ３、３間に配置され、幅方向の斜め下方から照明器具を見た際にランプ４が見えないようになっており、ランプ４のグレアが防止される。
【００２２】
ここで、本実施形態の照明器具の動作について図３に基づいて説明する。ランプソケット８を介してランプ４に点灯電力が供給されるとランプ４が点灯し、ランプ４の光の一部は直接下方に照射される（図３中の一点鎖線Ｃ）とともにルーバ３の折り返し片３ｂで反射されて下方に照射され（図３中の破線Ｆ）、残りの光は反射笠２の反射面で反射される（図３中の一点鎖線Ｄおよび二点鎖線Ｅ）。ここにおいて、本実施形態では、反射笠２においてランプ４の上側位置（後方位置）に第１平面部を構成する突台部２ｃの底面２ｄが設けられるとともに、ルーバ３の主遮光片３ａの上側端に第２平面部を構成する水平片３ｃが設けられており、ランプ４の光の一部は底面２ｄで反射される。そして、底面２ｄで反射された光の一部はそのまま下方に照射され、また残りの一部は水平片３ｃで反射されて反射笠２の主反射面２ｅに向かい、さらに主反射面２ｅで反射された光はルーバ３の主遮光片３ａの外側面で反射して下方に照射される（図３中の二点鎖線Ｅ）。
【００２３】
而して、従来例の照明器具では、図４に示すようにランプ１０４の光がルーバ１０３の側面（図４中の左右方向の側面）に照射されにくく、ルーバ１０３の側面の輝度が低下するのに対して、本実施形態の照明器具では、上述のようにランプ４の光を突台部２ｃの底面２ｄおよびルーバ３の水平片３ｃで反射させて反射笠２の主反射面２ｅへの光量を増加させることができるので、主反射面２ｅから各ルーバ３の主遮光片３ａに向けて反射される光量を増加させることができ、その結果、主遮光片３ａの外側面の輝度低下を抑えることができる。また、水平片３ｃがない場合には、ランプ４の光の一部がルーバ３の内側面で反射されてロスになってしまうが、本実施形態のように水平片３ｃを設けることによって、ルーバ３の内側面へ向かう光の一部を水平片３ｃで主反射面２ｅ側に反射させることができ、光のロスを低減することができる。さらに、水平片３ｃの先端部と折り返し片３ｂの先端部の間を平面部で塞いだ場合には、ルーバ３の内側面に向かう光を全て反射させることができるので、光のロスをさらに低減することができる。
【００２４】
また、本実施形態の照明器具では、ルーバ３、３を、ランプ４の下方にランプ軸に沿って配置するとともに、ルーバ間寸法ｄ１（各折り返し片３ｂの先端の間隔）を少なくともランプ４の径よりも大きい間隔に設定した状態でランプ４の幅方向両側に配置することによって、ランプ４のグレアをカットしつつルーバ３の間からランプ４を交換することができるので、従来例のようにルーバを取り外す必要がなく、メンテナンス性を改善することができる。
【００２５】
さらに、ルーバ３の主遮光片３ａの下側端からランプ４側に折り返した折り返し片３ｂを、折り曲げ位置とランプ４の中心を結ぶ線分ＡＢに対して主遮光片３ａ側に折り曲げることによって、ランプ４の光を折り返し片３ｂに照射することができるので、この光を折り返し片３ｂで反射させることによって下方への光量を増加させることができる（図３中の破線Ｆ）。また、ルーバ３の主遮光片３ａに対して折り返し片３ｂを設けることによって、ルーバ３の強度が増加するのでルーバ３の曲がりを抑えることもできる。
【００２６】
また、本実施形態では、突台部２ｃの底面２ｄ（第１平面部）が水平に設けられており、この底面２ｄに形成されたねじ挿通孔２ｂを用いて反射笠２を器具本体１に取り付けているので、取付状態では反射笠２が面で器具本体１に取り付けられることになるから取り付けが強固になり、反射笠２の揺れやぐらつきを軽減することができる。さらに、本実施形態の照明器具のように、反射笠２の主反射面２ｅの曲率半径を大きく設定することによって、ルーバ３を用いてランプ４のグレアを抑制しつつ、広がりのある配光が得られる照明器具を提供することができる。
【００２７】
なお、本実施形態では、２個のルーバ３を設けた場合を例に説明したが、ルーバ３はランプ４に対して両側に配置されていればよく、３個以上であってもよい。
【図面の簡単な説明】
【００２８】
【図１】本実施形態の照明器具の断面図である。
【図２】同上の分解斜視図である。
【図３】同上の動作を説明する説明図である。
【図４】従来例の照明器具の断面図である。
【符号の説明】
【００２９】
２  反射笠
３  ルーバ
４  ランプ
【図１】
0005102660.tif 000002
【図２】
0005102660.tif 000003
【図３】
0005102660.tif 000004
【図４】
0005102660.tif 000005